(57)【要約】    【課題】この発明は、接続するケーブルの取り回し性の向上を図るとともに、製造コストの低減を図った電気コネクタを提供する。      【解決手段】同軸ケーブル１の中心導体に接続するコンタクト１２が配設されたハウジング１１と、該ハウジング１１に嵌着して前記同軸ケーブル１の外部導体１ｃと接続する金属シェル１３とを少なくとも有する電気コネクタ１０において、同軸ケーブル１の外部導体１ｃと前記金属シェル１３とを連結カシメ手段２０を介し直接カシメて接続させるようにした。  【選択図】  図１
2006310113.tif 000002
【特許請求の範囲】
【請求項１】
同軸ケーブルの中心導体に接続するコンタクトが配設されたハウジングと、該ハウジングに嵌着して前記同軸ケーブルの外部導体と接続する金属シェルとを少なくとも有する電気コネクタにおいて、
前記同軸ケーブルの外部導体と前記金属シェルとを連結カシメ手段を介し直接カシメて電気的に接続させるようにしたことを特徴とする電気コネクタ。
【請求項２】
前記連結カシメ手段は、導電性を有する金属製の板体と該板体から櫛歯状に立設されるとともに前記同軸ケーブルの外部導体を位置決め支承するカシメ突起からなり、前記金属シェルには前記カシメ突起を嵌挿させる嵌挿孔が形成され、該金属シェルの嵌挿孔から突出する前記カシメ突起をカシメることにより前記同軸ケーブルの外部導体と前記金属シェルとを電気的に接続させるようにしたことを特徴とする請求項１に記載の電気コネクタ。
【発明の詳細な説明】
【技術分野】
【０００１】
この発明は、ケーブルとケーブル、あるいはケーブルと印刷配線基板等を電気的に接続するケーブル接続用の電気コネクタの改良に関する。
【背景技術】
【０００２】
従来から、ケーブルとケーブル、あるいはケーブルと印刷配線基板等を接続する電気コネクタとしては各種のものが使用されており、特に複数本の同軸ケーブルを接続する従来の電気コネクタとしては以下に説明するものが使用されている。
【０００３】
図７は、後述する電気コネクタに複数本の同軸ケーブルを接続する手順を説明する概念斜視図である。
【０００４】
まず、中心導体１ａ、不導体１ｂ、外部導体１ｃ、および外皮１ｄの順で一端が露出した同軸ケーブル１を複数本用意し、この同軸ケーブル１の各外部導体１ｃを上下一対の連結用部材（一対の導電性の板体）２，３間に所定のピッチで並設する。その後、この一対の連結用部材２，３と各同軸ケーブル１の外部導体１ｃとの間を半田付け接続する。
【０００５】
次に、図８の斜視図で示すように、プラグコネクタとして機能する電気コネクタ４のハウジング５上面に形成された位置決め凹部６内に一対の連結部材２,３を配置し、その際、各同軸ケーブル１の中心導体１ａをハウジング５内に所定のピッチで配設された対応するコンタクト７の接続端子上に載置する。その後各同軸ケーブル１の中心導体１ａと対応するコンタクト７の接続端子とをカシメあるいは半田付け等の固着手段により固定する。
【０００６】
次に、図９の斜視図で示すように、ハウジング５に金属シェル８を矢印のように被せて嵌着支承させ、これにより図１０の斜視図で示すように、連結部材３（図９）の上面を金属シェル８の舌片８ａにより押し付けてハウジング５内に固定するとともに、上面の連結部材３に圧接する舌片８ａを介して各同軸ケーブル１の外部導体１ｃ（図７）と金属シェル８とを電気的に接続し、これにより複数本の同軸ケーブル１が接続された電気コネクタ４を完成させる。
【０００７】
なお、上述した一対の連結部材２，３と金属シェル８との接続は、上述した舌片８ａによる圧接接続の他に、両者を半田付け接続する場合もある。
【０００８】
なお、上述した電気コネクタ４の各コンタクト７は図示せぬ印刷配線基板に搭載されたリセプタクルコネクタの対応する各コンタクトに接続され、また金属シェル８もリセプタクルコネクタの金属シェルと接続し、その金属シェルを介して図示せぬ印刷配線基板のアース端子と接続する。
【発明の開示】
【発明が解決しようとする課題】
【０００９】
ところで、上述した従来の電気コネクタでは、同軸ケーブル１の外部導体１ｃと一対の連結用部材（一対の導電性の板体）２，３との間を半田付け接続する構造であるから、その半田付けの際、溶融した半田が同軸ケーブル１の外部導体１ｃに含浸し、そのため半田が冷却固化すると同軸ケーブル１の外部導体１ｃが硬化してその部分の可撓性が著しく低下する。
【００１０】
このように、同軸ケーブル１の外部導体１ｃが硬化してその可撓性が著しく低下すると、同軸ケーブル１全体の取り回し性が損なわれ、例えば携帯電話、あるいは小型のコンピュータ等の狭い筐体内での電気コネクタの組み付けする際に、その作業性が著しく低下する難点があった。
【００１１】
また従来の電気コネクタ４では同軸ケーブル１の外部導体１ｃと連結用部材２，３とを半田付け工程を経て接続するから組立工程数が多く、このため電気コネクタの製造に際し、コストアップの要因ともなっていた。
【００１２】
この発明は、上述した事情に鑑み、接続するケーブルの取り回し性の向上を図るとともに、製造コストの低減を図った電気コネクタを提供することを目的とする。
【課題を解決するための手段】
【００１３】
上述した課題を解決するため、この発明では、同軸ケーブルの中心導体に接続するコンタクトが配設されたハウジングと、該ハウジングに嵌着して前記同軸ケーブルの外部導体と接続する金属シェルとを少なくとも有する電気コネクタにおいて、前記同軸ケーブルの外部導体と前記金属シェルとを連結カシメ手段を介し直接カシメて接続させるようにしたことを特徴とする電気コネクタ。
【発明の効果】
【００１４】
上述した、本願発明の電気コネクタによると、同軸ケーブルの外部導体と金属シェルとを連結カシメ手段を介し直接カシメて接続させるようにしたから、外部導体と金属シェルとの間の接続に半田を使用することがなく、このため同軸ケーブルの外部導体に半田が含浸してその可撓性を損なうことがないので、同軸ケーブル全体の取り回し性が向上し、例えば携帯電話、あるいは小型のコンピュータ等の狭い筐体内での電気コネクタの組み付け作業を行う際に、その作業性を著しく向上させることが出来る。また同軸ケーブルの外部導体と金属シェル間の接続に半田付け工程がなくなるので組立工程数が低減し、このため電気コネクタの製造コストを著しく低下させ、安価な電気コネクタを提供することが出来る。
【発明を実施するための最良の形態】
【００１５】
以下、この発明に係る電気コネクタの一実施例を詳述する。
【００１６】
図１はこの発明に係る電気コネクタ１０を示す要部破断面図で、図１と同一部分を同一符号で示す。
【００１７】
この実施例の電気コネクタ１０は、下方に位置する図示せぬリセプタクルに嵌着してケーブルを電気的に接続するプラグタイプのコネクタである。
【００１８】
この電気コネクタ１０も、従来と同様にプラスチック等の合成樹脂で形成された絶縁体のハウジング１１と、このハウジング１１の幅方向（図面垂直方向）に沿って所定のピッチで配設された複数本のコンタクト１２と、前記ハウジング１１を覆う金属等の導電体で形成された金属シェル１３とから構成され、同軸ケーブル１の外部導体１ｃと前記金属シェル１３とは、連結カシメ手段２０を介して直接カシメられて電気的に接続されている。
【００１９】
次に、上述した本願にかかわる電気コネクタ１０に複数本の同軸ケーブル１を配設する手順を説明し、併せて構成をより詳細に説明する。
【００２０】
図２は上述した連結カシメ手段２０を示す概念斜視図である。
【００２１】
この連結カシメ手段２０は、導電性を有する金属製の板体２１からなり、この板体２１の互いに対向する位置には一対のカシメ突起２２からなるカシメ部材２３が櫛歯状に立設され、このカシメ部材２３は板体２１の長手方向に沿って所定のピッチ（具体的には外部導体１ｃの径よりも若干小さいピッチ）で複数個並設されている。
【００２２】
そして、この連結カシメ手段２０に複数本の同軸ケーブル１を位置決めさせるには、図２に示すように、一対のカシメ突起２２からなる一対のカシメ部材２３間に同軸ケーブル１の外部導体１ｃを嵌着する。このように、一対のカシメ部材２３間に各同軸ケーブル１の外部導体１ｃを嵌着させると、複数本の各同軸ケーブル１はこの連結カシメ手段２０の長手方向に沿って所定のピッチで併設され、さらに各外部導体１ｃはこの導電性を有する金属製の板体２１と電気的に接続する。
【００２３】
次に、このように、複数本の同軸ケーブル１を所定のピッチで板体２１に併設した連結カシメ手段２０を、図３に示すハウジング１１の上面に形成された位置決め凹部１１ａ内に配設して位置決めする。その際、図１で示すように、各同軸ケーブル１の各中心導体１ａはハウジング１１内に所定のピッチで配設された対応する各コンタクト１２の接続端子１２ａ上に位置決めされ、その後各同軸ケーブル１の中心導体１ａと対応するコンタクト１２の接続端子１２ａとはカシメあるいは半田付け等の固着手段により電気的に接続される。
【００２４】
このように、複数本の同軸ケーブル１を所定のピッチで併設した連結カシメ手段２０をハウジング１１の上面に形成された位置決め凹部１１ａ内に位置決め配設した後、図４で示すように、上方から金属シェル１３をハウジング１１に嵌着する。
【００２５】
この金属シェル１３には、その上面にプレス等の機械加工により予め連結カシメ手段２０と対向する位置に凹部１３ａが形成され、さらにその凹部１３ａの底部両側方であって、前記連結カシメ手段２０のカシメ突起２２と対向する位置には、このカシメ突起２２を嵌挿させる一対の嵌挿孔１３ｂが形成されている。
【００２６】
従って、図４で示すように、上方から金属シェル１３をハウジング１１に嵌着させると、図５で示すように、金属シェル１３の凹部１３ａ内において、各カシメ突起２２が各嵌挿孔１３ｂから凹部１３ａ内へ突出することとなる。
【００２７】
その後、図６で示すように、金属シェル１３の凹部１３ａに形成された嵌挿孔１３ｂ内から突出した各カシメ突起２２を金属シェル１３の凹部１３ａを抱え込むようにカシメると、図１で示すように、各同軸ケーブル１の各外部導体１ｃと金属シェル１３とが連結カシメ手段２０を介し直接カシメられて機械的かつ電気的に接続されることとなる。
【００２８】
従って、上述した本願発明に係る電気コネクタ１０によると、複数本の同軸ケーブル１の各外部導体１ｃと金属シェル１３とを連結カシメ手段２０を介し直接カシメて電気的に接続するようにしたから、従来の如く外部導体と金属シェルとの間の接続に半田を使用する場合に比較して外部導体の可撓性が損なわれず、このため同軸ケーブル１全体の取り回し性が向上し、例えば携帯電話、あるいは小型のコンピュータ等の狭い筐体内での電気コネクタ１０の組み付け作業を行う際に、その作業性を著しく向上させることが出来ることとなる。また同軸ケーブル１の外部導体１ｃと金属シェル１３との間の接続に半田付け工程がなくなるので組立工程数が低減し、このため電気コネクタ１０の製造コストを著しく低下させ、安価な電気コネクタを提供することが出来ることとなる。
【産業上の利用可能性】
【００２９】
以上説明したように、この発明は、接続するケーブルの取り回し性の向上を図るとともに、製造コストの低減を図った電気コネクタに適している。
【図面の簡単な説明】
【００３０】
【図１】図１はこの発明に係る電気コネクタの要部断面図。
【図２】図２は連結カシメ手段の概念斜視図。
【図３】図３は連結カシメ手段をハウジング内に配設した状態を示す概念斜視図。
【図４】図４は金属シェルの概念斜視図。
【図５】図５は金属シェルをはう金属シェルをハウジングに嵌着した状態を示す概念斜視図。
【図６】図６はこの発明に係る電気コネクタの完成した状態を示す概念斜視図。
【図７】図７は従来の電気コネクタの組立て手順を示す概念斜視図。
【図８】図８は従来の電気コネクタの組立て手順を示す概念斜視図。
【図９】図９は従来の電気コネクタの組立て手順を示す概念斜視図。
【図１０】図１０は従来の電気コネクタの完成した状態を示す概念斜視図。
【符号の説明】
【００３１】
１…同軸ケーブル
１ａ…中心導体
１１…ハウジング
１２…コンタクト
１３…金属シェル
１３ｂ…嵌挿孔
２０…連結カシメ手段
２１…板体
２２…カシメ突起
【図１】
2006310113.tif 000003
【図２】
2006310113.tif 000004
【図３】
2006310113.tif 000005
【図４】
2006310113.tif 000006
【図５】
2006310113.tif 000007
【図６】
2006310113.tif 000008
【図７】
2006310113.tif 000009
【図８】
2006310113.tif 000010
【図９】
2006310113.tif 000011
【図１０】
2006310113.tif 000012